(57)【要約】デバイス用の格納能力をもたらすと共に容器（３３）およびバケツの充填をもたらす手持ち式液体分注デバイス（１２）を支持する装置（１０）。好ましい方法では、装置（１０）は、２つの分注デバイス（１２）の支持、および、２つの容器（３３）または１つの容器とバケツの充填を可能にする。別の好ましい方法では、装置は、分注デバイス用の２つの支持体（１８）と容器用の１つの支持体を備える。
2007529296.tif 000002
【特許請求の範囲】
【請求項１】
手持ち式液体分注デバイスを支持する装置であって、
前記分注デバイスのノズル部分を受け取る第１支持部材と、
容器を保持する第２支持部材とを備え、前記第１および第２支持部材は、実質的に軸方向に整列して互いから離間し、支持構造に接続するためにフレーム部材に接続される装置。
【請求項２】
前記第１支持部材は空洞を含む請求項１に記載の装置。
【請求項３】
前記第２支持部材は、前記フレーム部材に旋回可能に接続される請求項１に記載の装置。
【請求項４】
前記フレーム部材に接続された、対向して配設される２つの第１支持部材が存在する請求項１に記載の装置。
【請求項５】
前記第１支持部材は、分注器ノズルを内部に設置するための空洞を有するプラットフォームによって画定される請求項１に記載の装置。
【請求項６】
前記第２支持部材は足部分によって画定され、前記足部分は、前記フレームによって支持され、前記フレーム部材に旋回可能に接続される請求項１に記載の装置。
【請求項７】
前記足部分は、ボトルを受け取る凹状部分を含む請求項６に記載の装置。
【請求項８】
前記フレーム部材に接続された、対向して配設される２つの第２支持部材が存在し、前記フレーム部材は、第１方向に延びる第１部分と、前記第１部分に対して実質的に直角に延びる第２部分とによって画定され、前記第２部分は、前記対向して配設される２つの第２支持部分に接続される請求項１に記載の装置。
【請求項９】
前記フレーム部材はロッド部材で構成される請求項８に記載の装置。
【請求項１０】
前記空洞は、前記ノズル部分が通過することを可能にするように構築され、構成された通路を含む請求項１に記載の装置。
【請求項１１】
組み合せ型の手持ち式液体分注デバイスおよび前記デバイスを支持する装置であって、
液体分注デバイスと、
前記分注デバイスのノズル部分を受け取る第１支持部材と、
容器を保持する第２支持部材とを備え、前記第１および第２支持部材は、実質的に軸方向に整列して互いから離間し、支持構造に接続するためにフレーム部材に接続される装置。
【請求項１２】
前記第１支持部材は空洞を含む請求項１１に記載の装置。
【請求項１３】
前記第２支持部材は、前記フレーム部材に旋回可能に接続される請求項１１に記載の装置。
【請求項１４】
前記フレーム部材に接続された、対向して配設される２つの第１支持部材が存在する請求項１１に記載の装置。
【請求項１５】
前記第１支持部材は、分注器ノズルを内部に設置するための空洞を有するプラットフォームによって画定される請求項１１に記載の装置。
【請求項１６】
前記第２支持部材は足部分によって画定され、前記足部分は、前記フレームによって支持され、前記フレーム部材に旋回可能に接続される請求項１１に記載の装置。
【請求項１７】
前記足部分は、ボトルを受け取る凹状部分を含む請求項１６に記載の装置。
【請求項１８】
前記フレーム部材に接続された、対向して配設される２つの第２支持部材が存在し、前記フレーム部材は、第１方向に延びる第１部分と、前記第１部分に対して実質的に直角に延びる第２部分とによって画定され、前記第２部分は、前記対向して配設される２つの第２支持部分に接続される請求項１１に記載の装置。
【請求項１９】
前記フレーム部材はロッド部材で構成される請求項１８に記載の装置。
【請求項２０】
前記空洞は、前記ノズル部分が通過することを可能にするように構築され、構成された通路を含む請求項１１に記載の装置。
【請求項２１】
手持ち式液体分注デバイスを支持する装置であって、
前記分注デバイスのノズル部分を受け取る第１支持部材と、
容器を保持する第２支持部材とを備え、前記第１および第２支持部材は、実質的に軸方向に整列して互いから離間し、支持構造に接続するためにフレーム部材に接続され、前記フレーム部材は、前記分注デバイス用の第３支持部材を含む装置。
【請求項２２】
前記フレーム部材は、前記第３支持部材に接続された側面部分を含む請求項２１に記載の装置。
【請求項２３】
前記側面部分は、前記第３支持部材から前記第１支持部材へ向かう方向に内向きに傾斜する請求項２２に記載の装置。
【請求項２４】
前記側面部分は、異なるサイズの容器を収容するように構築され、構成される請求項２３に記載の装置。
【請求項２５】
前記フレーム部材に接続された、対向して配設される２つの第１、第２、および第３支持部材が存在する請求項２１に記載の装置。
【請求項２６】
前記第２支持部材は、前記フレーム部材に旋回可能に接続される請求項２１に記載の装置。
【請求項２７】
前記第１支持部材内に設置するための漏斗をさらに含む請求項２６に記載の装置。
【発明の詳細な説明】
【技術分野】
【０００１】
本発明は、手持ち式分注デバイス用の支持体に関する。より詳細には、本発明は、容器支持体を含み、容器の充填を容易にすると共に、バケツを充填するための分注ホースへの接続をもたらす、手持ち式液体分注デバイス用の支持体に関する。
【背景技術】
【０００２】
従来技術は、手持ち式分注デバイス用の支持体またはホルダを提供しない。こうした装置についての必要性が存在する。本発明に関連するタイプの手持ち式分注デバイスは、ホースおよび液体濃縮物を有する容器に取り付けられるデバイスである。こうしたデバイスは、米国特許第６，７０８，９０１号に記載されている。このタイプの分注器は、洗剤、消毒剤および同様なタイプの物質（ｍａｔｅｒｉａｌ）を分注する。使用後、分注器を格納する場所を有することが望ましい。分注器が格納されている間、容器およびバケツを希釈した濃縮物で充填することも可能にする格納装置を有することも望ましいであろう。
【特許文献１】米国特許第６，７０８，９０１号
【発明の開示】
【発明が解決しようとする課題】
【０００３】
本発明は、手持ち式分注デバイスを支持する装置を提供する。
【課題を解決するための手段】
【０００４】
装置は、分注デバイスのノズル部分を受け取る第１支持部材を含む。容器を保持する第２支持部材が存在し、第１および第２支持部材は、実質的に軸方向に整列して互いから離間し、支持構造に接続するためにフレームに接続される。
【０００５】
好ましい実施形態では、第１支持部材は空洞を含む。
別の好ましい実施形態では、フレーム部材に接続された、対向して配設される２つの第１支持部材が存在する。
【０００６】
一態様では、第１支持部材は、分注器ノズルを内部に設置するための空洞を有するプラットフォームによって画定され、第２支持部材は足部分によって画定され、足部分は、フレームによって支持され、フレーム部材に旋回可能に接続される。
【０００７】
別の態様では、フレーム部材に接続された、対向して配設される２つの第２支持部材が存在する。フレーム部材は、第１方向に延びる第１部分と、第１部分に対して実質的に直角に延びる第２部分とによって画定され、第２部分は、対向して配設される２つの第２支持部分に接続される。
【０００８】
さらに別の態様では、本発明は、組み合せ型の手持ち式分注器デバイスおよびデバイスを支持する装置を提供する。
【０００９】
さらに別の態様では、フレーム部材は、第３支持部材ならびに第３支持部材に接続された側面部分を含み、側面部分は、第３支持部材から第１支持部材へ向かって内向きに傾斜する。
【００１０】
したがって、本発明の実施形態の一部の目的は、
ａ）手持ち式液体分注装置を格納し支持する装置を提供すること、
ｂ）容易に利用される手持ち式液体分注装置を格納し支持する装置を提供すること、
ｃ）容器の充填を容易にする前述のタイプの装置を提供すること、
ｄ）２つの分注デバイスを収容することができる前述のタイプの装置を提供すること、
ｅ）経済的に製造することができる前述のタイプの装置を提供すること、
ｆ）分注装置の確実な保持をもたらす前述のタイプの装置を提供すること、
ｇ）水ホースによって一時的な配管式据え付けを提供すること、および、
ｈ）バケツ充填のために折り畳まれるボトル充填滴下トレイを提供することである。
【発明を実施するための最良の形態】
【００１１】
図１〜４を参照すると、支持装置全体１０が分注デバイス１２と共に示される。分注デバイスは、上述のように米国特許第６，７０８，９０１号に記載されている。支持装置１０は、プラットフォーム１４と背面壁１６、ならびに、分注デバイス１２の放出口２２を受け取る空洞１８を含む。プラットフォーム１４は、分注器ボトル５５から分注される物質を示す製品識別ラベルを設置するためのエリアをもたらす窪みの付いたパネル１３を有する。ボトル３３などの容器を支持するために、フレーム３０に旋回可能に取り付けられ、ボトルが存在しない時に滴下トレイを形成する足部分２５および２７もまた存在する。これらの足部分２５および２７は、３３などのボトルの底部を収容するために窪み３５を有する。図１と図２に見られるように、バケツ３８を充填するために、分注器１２の分注チューブ１５に取り付けられるホース４０が存在する。
【００１２】
図５〜７を参照すると、フレーム３０が、フレーム３０の垂直部分４６に実質的に直角に延びる部分４２を含むことがわかる。この部分４２は、フレーム３０に旋回可能に取り付けられた足部分２５および２７を支持する。図６で最もよくわかるように、フレーム３０は、突出部４８との接触などによってプラットフォーム１４を支持する付加的なＵ形状部分４４を含む。図７でわかるように、壁１６の背後に延びるクロスバー部材５０がフレーム３０に接続され、壁１６を通して、図４に示す穴５３を通すなどにより、搭載ねじ５２を挿入することができる。
【００１３】
図８〜１０は、支持装置の第２の実施形態の全体１０Ａを示す。同じ参照数字は、「Ａ」という接尾辞を含むことを除いて、同じ要素および実施形態１０に関して前と同じように使用される。支持装置１０と１０Ａとの違いの１つは、付加的な支持部材６０Ａおよびフレーム３０Ａの側面部分６２Ａである。側面部分６２Ａは、第３支持部材６０Ａからプラットフォーム１４Ａの形態の第１支持部材に向かう方向に内向きに傾斜することが留意されるべきである。これは、空洞１８Ａ内に配置される放出口２２Ａによって提供される支持に加えて、分注器ボトル５５Ａ用の付加的な支持を提供する。もうひとつの違いは漏斗６４Ａである。これは、バケツ充填のために、分注デバイス１２Ａからホース４０Ａ内への液体物質の十分な移動をもたらす。
【００１４】
作用
支持装置１０のよりよい理解は、その動作の説明によって得られるであろう。図１と図２を参照すると、支持装置１０は、搭載ねじ５２などで壁に取り付けられる。分注デバイス１２は、空洞１８内への放出口２２の設置などにより、支持装置によって支持される。水供給ホース（図示せず）は、相補的な断路デバイス（図示せず）などによってコネクタ５４に接続される。ボトル３３を充填する必要がある場合、ボトル３３が足部分２７上に設置される。こうして、分注器ボトル５５からの濃縮物溶液と水で、分注デバイス１２からボトル３３を容易に充填することができる。バケツ３８を充填する必要がある場合、足部分２５は、図２に示すような離れた位置に旋回する。これは、分注デバイス１２の分注チューブ１５に接続されるホース４０用の直接経路をもたらす。２つのボトル３３を充填する必要がある場合、足部分２５は、足部分２７について示すのと同様の位置をとることになる。同じように、足部分２５は、フレーム４２によって支持されることになる。
【００１５】
支持装置１０Ａの動作は、支持装置１０について述べた動作と実質的に同じである。先に述べたように、主要な違いは、支持部材６０Ａと側面部分６２Ａによるボトル５５Ａの支持と、バケツ充填用の漏斗部材６４Ａの存在である。ボトル５５Ａが、支持部材６０Ａ上に載るサイズでない場合、より小さなボトルが、傾斜した側面部分６２Ａによって支持されるであろう。
【００１６】
このように、分注デバイスが、邪魔にならない位置で都合よく支持されるだけでなく、同時に、ボトル３３かバケツ３８のいずれかが容易に充填できるように、１２などの分注デバイス用の支持装置がここで提供されることが、わかるであろう。
【００１７】
プラットフォーム１４ならびに足部分２５と２７を作製するための好ましい材料はポリプロピレンである。しかし、アセチル樹脂およびガラス充填ポリプロピレンなどの他の材料もまた使用することができるであろう。フレーム部材３０は、スチール・バーで構成され、フレーム部分４２は、フレーム部材３０に溶接され、部分４４およびバー部材５０もまたフレーム部材３０に溶接される。構成フレーム３０のための好ましい材料はスチールである。しかし、ステンレス・スチールおよびナイロンなどの他の材料もまた利用することができるであろう。
【００１８】
支持装置１０は、２つのボトル３３を支持する、あるいは、ホース４０への接続支持を可能にすることができる足部分２５および２７と共に使用するために示されたが、支持装置は、足部分２７上に設置された単一の分注デバイスと単一の容器３３のみを支持するように設計することができることが容易に明らかである。バケツ３８を充填する必要がある場合、足部分２７は、直立位置に移動し、ホース４０が分注チューブ１５へ接続される。本発明の精神内にある全てのこうした、また、他の変更は、添付の特許請求項によって規定される本発明の範囲内にあることが意図される。
【図面の簡単な説明】
【００１９】
【図１】本発明の分注デバイス用の支持体ならびに２つの分注デバイスの斜視図である。
【図２】バケツの充填を示す分注デバイス用の支持体の正面図である。
【図３】分注デバイス用の支持体の平面図である。
【図４】付属器具が無い状態の分注デバイス用の支持体の正面図である。
【図５】分注デバイス用の支持体の側面図である。
【図６】分注デバイス用の支持体の底面図である。
【図７】分注デバイス用の支持構造を示す、仮想線（ｐｈａｎｔｏｍ）で示す部分を有する正面図である。
【図８】分注デバイス用の支持体の第２の実施形態の斜視図である。
【図９】分注デバイスとボトルがその上で支持された、図８に示す実施形態の正面図である。
【図１０】ホースへの分注デバイスの接続を示す図９と同様の図である。
【図１】
2007529296.tif 000003
【図２】
2007529296.tif 000004
【図３】
2007529296.tif 000005
【図４】
2007529296.tif 000006
【図５】
2007529296.tif 000007
【図６】
2007529296.tif 000008
【図７】
2007529296.tif 000009
【図８】
2007529296.tif 000010
【図９】
2007529296.tif 000011
【図１０】
2007529296.tif 000012
【国際調査報告】
2007529296.tif 000013
2007529296.tif 000014
2007529296.tif 000015
2007529296.tif 000016